(57)【要約】  【課題】前後左右の傾斜設置面に同時に対応でき、かつ段差地における設置時においても水平用ステ−などの別部品を必要としない据付け台を提供する。  【解決手段】脚固定部材を取り付けるための天板を有する上ブロックと、アンカーボルトを固定するための底板を有する下ブロックとを備え、天板と底板とのなす前後方向の傾斜角度を切欠凹部および調節ボルトにより調節し、底板に設けた調整ボルトの下方突出量を調整して左右方向の傾斜や平坦でない設置面に対応させ、また脚部材として機能させる。また、上ブロックを下ブロックに対して前後を反転させて被せ、上下のブロックの連結ボルトを挿通する貫通穴と切欠凹部とを軸方向で合せてボルトを挿通することで天板と底板とを平行に保持し、段差地に対応させる。【選択図】図１
2005208812.tif 000002
【特許請求の範囲】
【請求項１】
設置物を据え付ける据付け台であって、
脚固定部材を取り付けるための天板を有する上ブロックと、アンカーボルトを固定するための底板を有する下ブロックと、前記天板と前記底板とのなす前後方向の傾斜角度を調節するための前後傾斜角度調節手段と、前記底板の左右方向の傾斜角度を調節するための左右傾斜角度調節手段とを備えたことを特徴とする設置物据付け台。
【請求項２】
前記左右傾斜角度調節手段は、前記底板の前後左右の少なくとも４箇所に形成されたネジ穴と、該ネジ穴に螺合して下端が前記底板から下方に突出する調整ボルトとから構成されたことを特徴とする請求項１に記載の設置物据付け台。
【請求項３】
前記調整ボルトが底板から下方に突出されて前記底板の脚部材とされることを特徴とする請求項２に記載の設置物据付け台。
【請求項４】
前後傾斜角度調節手段は、前記上下ブロックの後端部を着脱自在に連結して上下ブロックを開閉回動自在とする連結ボルトと、前記上下のブロックの対向縁に沿って前後方向に形成された複数の切欠凹部と、該複数の切欠凹部のうち選択された切欠凹部に係合する調節ボルトとから構成されたことを特徴とする請求項１に記載の設置物据付け台。
【請求項５】
前記底板の前後左右の少なくとも４箇所に形成されたネジ穴と、該ネジ穴に螺合して下端が前記底板から下方に突出する調整ボルトとを備え、前後の調整ボルトの底板からの突出量を調整することにより、前記底板の前後方向の傾斜角度を調整することを特徴とする請求項４に記載の設置物据付け台。
【請求項６】
前記天板と前記底板を平行に固定する平行保持手段が設けられ、該平行保持手段は、上ブロックを下ブロックに対して前後を反転させて被せ、上下のブロックの連結ボルトを挿通する貫通穴と前記切欠凹部とを軸方向で合せてボルトを挿通することにより、上下のブロックの天板と底板とを平行に保持することを特徴とする請求項４に記載の設置物据付け台。
【請求項７】
前記底板の前後左右の少なくとも４箇所に形成されたネジ穴と、該ネジ穴に螺合して下端が前記底板から下方に突出する調整ボルトとを備え、前記調整ボルトの底板からの突出量を調整することにより、前記天板の設置面からの高さを調整することを特徴とする請求項６に記載の設置物据付け台。  
【発明の詳細な説明】
【技術分野】
【０００１】
本発明は、自動販売機などの設置物を傾斜地や段差地に設置する際に使用する据付け台に関するものである。
【背景技術】
【０００２】
この種の台座として特許文献１には、自動販売機などの設置物を傾斜面に設置する場合に、コンクリート工事を必要とせずに水平な設置面を即座に作ることができる設置物据付け台が開示されている。
【０００３】
この据付台は、設置面に置かれる底板から立ち上がった左右の壁に下側調節孔が形成された下ハーフと、設置物の据付け脚が載せられる天板から下垂した周壁に４つの上側調節孔が形成された上ハーフとヒンジ軸で開閉自在に連結し、並びに順が同じである組合わせの上下の調節孔のいずれかの組を選んで結合ボルトで位置固定して底板に対する天板の傾き角を設定することで天板が水平な設置面となり、これに設置物の据付け脚を乗せて台乗り固定プレートで固定するようにしている。
【０００４】
また、特許文献１には、設置面に段差があって、その段差の両脇が水平である場合に底板と天板との傾き角を０°に設定するために、上下の調節孔のいずれか同士に掛け渡す形の水平用ステ−を用いる技術が開示されている。
【特許文献１】特開２００３−３４６２３３号公報（要約、段落００３９参照）
【発明の開示】
【発明が解決しようとする課題】
【０００５】
ところで、特許文献１の据付け台は、一方向の傾斜、例えば前後方向の傾斜面に対して天板をほぼ水平に調節することは可能であるが、前後方向のみならず、左右方向にも傾斜している場合に、天板をほぼ水平に調節することは困難である。左右方向の調節は自動販売機の据付け脚のアジャスタボルトによって行わなければならず、自動販売機の設置作業が煩雑となる。そのため、前後方向のみならず、左右方向の傾斜にも対応できる据付け台の出現が望まれているところである。
【０００６】
また、特許文献１の据付け台は、上ハーフと下ハーフとがヒンジ軸を介して連結され、上ハーフと下ハーフとを分離することができないため、設置面の段差部に設置する場合、水平用ステ−などの別部品を必要とする。このような別部品の存在は部品点数の増加に繋がり、コスト高となる。特許文献１には、その傾斜の落差が大きな設置場所に適した形態の据付け台も開示されているが、この構造の据付け台は、水平用ステ−が不要である反面、全体の高さが高くなるので、落差の大きい場合や段差が高い場合にしか使用することができない欠点がある。
【０００７】
本発明は、上記の課題に鑑み、前後左右の傾斜に同時に対応できる設置物据付け台の提供を目的としている。また、本発明の別の目的は、傾斜地のみならず段差地にも対応することができ、その際、水平用ステ−などの別部品を必要としない設置物据付け台を提供することにある。
【課題を解決するための手段】
【０００８】
上記目的を達成するため、本発明は、設置物を据え付ける据付け台であって、脚固定部材を取り付けるための天板を有する上ブロックと、アンカーボルトを固定するための底板を有する下ブロックと、前記天板と前記底板とのなす前後方向の傾斜角度を調節するための前後傾斜角度調節手段と、前記底板の左右方向の傾斜角度を調節するための左右傾斜角度調節手段とを備えたことを特徴としている。
【０００９】
上記構成によれば、前後傾斜角度調節手段と左右傾斜角度調節手段とを備えているので、前後方向のみならず左右方向に傾斜している傾斜地にも対応することができる。
【００１０】
この左右傾斜角度調節手段は、前記底板の前後左右の少なくとも４箇所に形成されたネジ穴と、該ネジ穴に螺合して下端が前記底板から下方に突出する調整ボルトとから構成することができる。この構成によれば、少なくとも４個のネジ穴と調整ボルトとからなる簡単な構成により左右方向の傾斜地にも対応することができる。また、前後左右の調整ボルトの底板からの下方突出量を調整することにより、傾斜地が左右方向に傾斜している場合のみならず、設置面に平坦でない場合にも調整することができる。
【００１１】
さらに、本発明に係る設置物据付け台では、調整ボルトが底板から下方に突出されて前記底板の脚部材として機能させることができる。これにより、据付け台の底板の下面と設置面との間に空間を形成して排水路となすことができる。そのため、雨水などの水が滞留するのを防止することができ、底板並びに据付け台全体の耐久性を向上させることができる。
【００１２】
また、前後傾斜角度調節手段は、前記上下ブロックの後端部を着脱自在に連結して上下ブロックを開閉回動自在とする連結ボルトと、前記上下のブロックの対向縁に沿って前後方向に形成された複数の切欠凹部と、該複数の切欠凹部のうち選択された切欠凹部に係合する調節ボルトとから構成することができる。
【００１３】
この構成によれば、調節ボルトは一端が開放した切欠凹部に係合するだけでよいので、天板と底板との傾斜角度の変更は、上下のブロックを連結ボルトを中心に開放回動し、切欠凹部から調節ボルトから離脱させて別の切欠凹部に係合するだけの簡単の操作を行うことができ、その調節作業が容易に行える。
【００１４】
また、底板の前後左右の少なくとも４箇所に形成されたネジ穴と、該ネジ穴に螺合して下端が前記底板から下方に突出する調整ボルトとにより、前後の調整ボルトの底板からの突出量を調整することで、前記底板の前後方向の傾斜角度を調整することができる。この構成によれば、左右傾斜角度調節手段の構成部材である前後の調整ボルトの底板からの突出量を調整することで、底板の前後方向の傾斜角度を調整することも簡単に行える。
【００１５】
また、本発明では、上記構成に加えて、天板と底板を平行に固定する平行保持手段が設けられ、該平行保持手段は、上ブロックを下ブロックに対して前後を反転させて被せ、上下のブロックの連結ボルトを挿通する貫通穴と前記切欠凹部とを軸方向で合せてボルトを挿通することにより、上下のブロックの天板と底板とを平行に保持することを特徴としている。
【００１６】
この構成によれば、平行保持手段は、上ブロックの前後を反転させるだけで、かつ平行維持は、前後角度調節手段の連結ボルト貫通穴および切欠凹部を利用しているので、従来のように、水平ステ−など、他の部品を用意する必要がなく、部品点数を低減して簡単に天板と底板との平行を維持することができる。これにより、傾斜地のみならず段差地においても対応することができる。
【００１７】
また、上記平行保持手段の構成に加えて、天板と底板とを前記底板の前後左右の少なくとも４箇所に形成されたネジ穴と、該ネジ穴に螺合して下端が前記底板から下方に突出する調整ボルトとを備え、前記調整ボルトの底板からの突出量を調整することにより、前記天板の設置面からの高さを調整するようにすることもできる。
【００１８】
上記構成によれば、段差地での設置時に、平行保持手段により天板と底板とを平行に保持させた場合、その平行間隔は所定の間隔に設定されるので、所定の間隔が段差地の段高さよりも低い場合には、底板の調整ボルトの突出量を調整することにより天板の設置面からの高さを調整することができる。  
【発明の効果】
【００１９】
以上のとおり、本発明によると、底板に設けたネジ穴とボルトとの組合わせといった簡単な構成により、傾斜地において左右方向の傾斜があった場合もこれに対応することができる。また、調整ボルトは底板の脚部材として機能し、さらに天板と底板とを平行に保持させる場合は、天板の設置面からの高さ調整部材としても機能させることができる。さらにまた前後の調整ボルトを調整することで、前後方向の傾斜角度の調整も可能となる。また、前後傾斜角度調節手段の構成部材を利用して天板と底板との平行保持手段を構成しているので、部品点数が少なくなり、傾斜地にも段差地にも対応することができる据付け台を提供することができる。
【発明を実施するための最良の形態】
【００２０】
以下、本発明の実施形態を図面に基づいて説明する。図１は本発明に係る据付け台の実施形態を示す分解斜視図、図２は同じく上下のブロックの開放状態を示す側面図、図３は据付け台を前面側から見た斜視図、図４は下ブロックを上方から見た斜視図、図５（ａ）は下ブロックの底板に左右方向調整ボルトおよびアンカーを打ち込んだ状態を示す斜視図、同図（ｂ）は調整ボルトを底板の脚部材として機能させた場合の側面断面図、同図（ｃ）は設置面が平坦でない場合に対応させた状態を示す正面断面図、図６は角度調節ボルトによる角度調節作業工程を示す図、図７は据付け台の設置状態を示す側面図、図８は脚固定部材の設置状態を示す据付け台の斜視図、図９は脚固定部材に設置物の据付け脚を締結した状態を示す斜視図、図１０は据付け台の段差部設置姿勢を示す斜視図、図１１は同じくその組立て工程図である。
【００２１】
本実施形態の据付け台１は、図１に示すように、脚固定部材２（図９参照）を取り付けるための天板３を有する上ブロック４と、アンカーボルト５（図５参照）を固定するための底板６を有する下ブロック７と、天板３と底板６とのなす前後方向の傾斜角度を調節するための前後傾斜角度調節手段８と、底板６および天板３の左右方向の傾斜角度を調節するための左右傾斜角度調節手段９（図５参照）と、天板３と底板６を平行に固定する平行保持手段１０（図１１参照）とを備えている。
【００２２】
上ブロック４は、天板３と、天板３の前端および左右端から下方に折曲形成された３方向の側板１１，１２，１３とから下開放の略箱形構造に形成され、下ブロック７を覆うように形成されている。
【００２３】
天板３は、長方形の平板から構成され、その左右方向で中央位置に複数（４個）のネジ穴１４が前後方向に等間隔に形成される。図８に示すように、前記複数のネジ穴の中から選ばれたネジ穴１４と脚固定部材２の取付穴１５とを合せて締結ボルト１６を螺合することにより脚固定部材２が天板３に取り付け固定される。
【００２４】
脚固定部材６は、図８および図９に示すように、周囲にリブ脚１７が形成された略平板状のものであって、その一側に上ブロック４の天板３に固定する取付穴１５が形成され、他側に自動販売機などの設置物のアジャスタ付の据付け脚を係合するための鍵穴型の係合穴１８が形成されている。係合穴１８の一端は開放しており、その開放端から設置物の据付け脚１９を挿入できるようになっている。脚固定部材２は、締結ボルト１６の周りに回転・固定できるようになっており、状況に応じて、その向きを調整できようになっている。
【００２５】
上ブロック４の左右側板１１，１２は、図１に示すように、前端部から後端部にかけて徐々に高さが低くなるように形成される。この側板１１，１２の後端部には左右方向で貫通するボルト貫通穴２０が形成される。このボルト貫通穴２０に連結ボルト２１を貫通して上下のブロック４，７を連結することにより、上下のブロック４，７が互いに開閉回動自在に連結される。この貫通穴２０は長穴に形成されており、上下ブロック４，７の開放時に両者が１２０度以上開放するように設定される。連結ボルト２１は、ナットおよびワッシャーで上下のブロック４，７に着脱自在に軸止めされている。
【００２６】
上ブロック４の前端の側板１３には、その左右方向で中央に縦長のボルト貫通用長穴２２が形成され、この長穴２２にストッパボルト２３を挿入することにより、下ブロック７と連結され、上ブロック４の開放が規制される。
【００２７】
下ブロック７は、底板６と、該底板６の周囲から上方に立ち上がる側板２５，２６，２７とから上開放の略箱形に形成されている。この下ブロック７は、上ブロック４よりも小さく形成され、上下のブロック４，７を閉じれば、上ブロック４によって覆われるような箱型形状とされる。
【００２８】
底板６は、長方形の平板から構成され、その左右方向で中央位置の前後２箇所にアンカーボルト５を固定するための貫通穴３０が形成されている。この底板６に左右角度調節手段５が設けられる。左右角度調節手段５は、図５に示すように、底板６のアンカーボルト貫通穴３０の左右両側の４箇所、つまり底板の前後左右の４箇所に形成されたネジ穴３１と、該ネジ穴３１に螺合して、下端が底板２０から下方に突出するレベル調整ボルト３２とから構成される。
【００２９】
図５図（ｂ）は調整ボルトを底板の脚部材として機能させた場合を示し、同図（ｃ）は設置面が平坦でなく、あるいは左右方向に傾斜がある場合に対応させた状態を示している。
【００３０】
この４箇所の調整ボルト３２の下方突出量を調整することにより、底板６の左右方向の傾斜角度を調節できるようになっている。また、前後の調整ボルト３２の下方突出量を調整することにより底板６の前後方向の傾斜角度も調整することができる。そのため、後述の前後方向調節手段８の切欠凹部４０，４１と調節ボルト４２により、段階的に前後方向の傾斜角度を調節し、前後方向の調整ボルト３２の突出量を調整して、前後方向の傾斜角度を微調整することができる。
【００３１】
また、調整ボルト３２の突出量を４箇所で変更することにより、設置面が平坦面でない場合にも底板６のレベルを調整することができる。また、すべての調整ボルト３２を下方へ突出させることにより、調整ボルト３２が底板６の脚部材として機能させることができる。
【００３２】
さらに、後述するように、平行保持手段１０により天板３と底板６とを平行に維持させた場合に、調整ボルト３２の底板６からの下方突出量を調整することにより、調整ボルト３２が天板３の設置面からの高さ調整部材としても機能する。
【００３３】
また、下ブロック７の左右の側板２５，２６は、前端部から後端部にかけて徐々に高さが低くなるように形成される。この側板２５，２６の後端部には左右方向で貫通するボルト貫通穴３５が形成され、このボルト貫通穴３５と上ブロックの貫通穴２０とを軸方向で合せて連結ボルト２１を貫通することにより、上下のブロック４，７が互いに開閉回動自在に連結されることになる。
【００３４】
また、下ブロック７の前端の側板２７には、その左右方向で中央にボルト締結用のネジ穴３６が形成される。このネジ穴３６と上ブロック４の前側板１３の長穴２２を合せてストッパボルト２３を螺合することにより、上ブロック４の上方への回動が規制されることになる。
【００３５】
前後傾斜角度調節手段８は、前記上下ブロック４，７の後端部を着脱自在に連結して上下ブロック４，７を開閉回動自在とする前記連結ボルト２１と、上ブロック４の左右側板１１，１２の下端縁に前後方向に形成された複数（本実施形態では５個）の切欠凹部４０と、該切欠凹部４０に対向して下ブロック７の左右側板２５，２６の上端縁に沿って前後方向に形成された複数（本実施形態では５個）の切欠凹部４１と、両切欠凹部４０，４１によって形成される調節穴に係合する調節ボルト４２とから構成される。
【００３６】
切欠凹部４０，４１は、上下のブロック４，７の側板１１，１２、２５，２６における前端部から中間部まで形成されている。切欠凹部４０，４１の奥深さ（高さ）は、上ブロック４においては前端部から後端部に向かって徐々に天板３に近付くように、また、下ブロック７においても前端部から後端部に向かって徐々に底板６に近付くように夫々設定されている。これらの複数の切欠凹部４０，４１は、該当する切欠凹部に調節ボルト４２を係合して上下のブロック４，７を閉じれば、底板６と天板３とのなす角度を所定の傾斜角度（本実施形態では５段階の傾斜角度）に設定できるようになっている。例えば、複数の切欠凹部４０，４１は、図２に示すように、側板１１，１２，２５，２６の前側から後側にかけて、底板６と天板３とのなす傾斜角度が２０度、１７．５度、１５度、１２．５度、１０度の５段階設定用の調節穴として機能する。
【００３７】
この切欠凹部４０，４１に係合する調節ボルト４２は、左右の側板間に差し渡される長さに設定され、Ｕ字形に開放した切欠凹部４０，４１と共に調節ボルト４２の切欠凹部への係合作業を容易に行えるようになっている。また、切欠凹部４０，４１のうち前端側の切欠凹部の形成位置は、上ブロック４をその前後を反転させて下ブロック７に被せ、前端側の切欠凹部４０，４１と連結ボルトの貫通穴２０，３５とを軸方向で合せたときに、天板３と底板６とが互いに平行になるように設定されている。これにより、切欠凹部４０，４１および貫通穴２０，３５を後述の平行保持手段１０の構成要素として利用することができる。
【００３８】
平行保持手段１０は、図１０および図１１に示すように、上ブロック４を下ブロック７に対して前後を反転させて下ブロック７に被せ、上ブロック４を下ブロック７に固定することにより行う。すなわち、上下ブロック４，７の後端側のボルト貫通穴２０、３５と前後傾斜角度調節手段８における前端部側の切欠凹部４０，４１を利用して、前記貫通穴２０，３５および切欠凹部４０，４１に夫々ボルト２１，４２を挿入することにより天板３と底板６とを平行に保持するようにしている。このボルト２１，４２は、前記連結ボルト２１および調節ボルト４２を利用することができる。また、上下ブロック４，７の側板１１，１２、２５，２６の前後方向略中央位置には、固定ボルト４５を挿入可能なボルト挿入穴４６，４７が形成され、この挿入穴４６，４７を軸方向で合せて固定ボルト４５を挿入することにより、天板３と底板６とが互いに間隔をおいて平行に維持される。
【００３９】
上記構成の据付け台１を傾斜地に設置する場合、上下ブロック４，７、連結ボルト２１、調節ボルト４２を用意する。まず、傾斜地の設置面５０（図７参照）に合せて下ブロック７を置き、底板６にアンカーボルト５を打込む。このとき、底板６に左右方向の傾斜がある場合あるいは設置面が平坦でない場合には、アンカーボルト５の左右両側にあるネジ穴３１に調整ボルト３２を螺合して、調整ボルト３２の下端の底板６から下方への突出量を調整することにより、底板６のレベルを合せる。また、すべての調整ボルト３２を底板６から下方に突出すれば、調整ボルト３２は底板６の脚部材として機能し、底板６と設置面との間に排水路を形成することもできる。
【００４０】
下ブロック７の調節後に、上ブロック４を連結ボルト２１により下ブロック７に連結し、上ブロック４を開いた状態で、下ブロックの切欠凹部４１に調節ボルト４２を係合する。このとき、上ブロック４は、その連結ボルト２１の貫通穴２０が長穴に形成されているため、上ブロック４の開放姿勢は連結ボルト２１が貫通穴２０の端部に到達するまで開くことができる。従って、上ブロック４は、下ブロック７に対して９０度以上、好ましくは１２０度以上開放可能となる。そのため、調節ボルト４２の切欠凹部４１への係合操作などが容易に行える。
【００４１】
そして、調節ボルト４２を係合した状態で上ブロック４を閉じて天板３の水平度を水準器で計測する。天板３が水平でない場合、上ブロック４を再度開いて調節ボルト４２の位置を別の切欠凹部４１に移動させ、再び上ブロック４を閉じて天板３の水平度を計測し、天板３をほぼ水平な状態にする。
【００４２】
このような調整作業において、角度調節用の調節ボルト４２は、一端開放の切欠凹部４１に係合しているだけなので、その着脱を容易に行うことができ、調節作業が簡便化される。なお、この調整作業において天板３が概ね水平であればよく、厳密な調整は、底板６の前後の調整ボルト３２の下方突出量を調整することにより行うか、あるいは設置物のアジャスタ付きの据付け脚１９で行えばよい。
【００４３】
この調整作業の完了後に、上下ブロック４，７の前端の側板１３，２７にストッパボルト２３を螺合して上下のブロック４，７の開放を規制する。そして、天板３の上面に脚固定部材２を締結し、設置物の据付け脚１９を脚固定部材２に取り付けて設置作業を完了する。
【００４４】
次に、段差地に設置物を設置する際の据付け台の据付け方法について説明する。まず、段差地の高さに合った据付け台１を用意し、段差地の低地側設置面に下ブロック７をアンカーボルト５により固定する。低地側に左右方向の傾斜がある場合、あるいは設置面が平坦な面でない場合には、底板６のネジ穴３１にレベル調整ボルト３２を螺合して、その突出量を調整することにより、底板６を水平に保持する。
【００４５】
下ブロック７を設置した後に、図１１に示すように、上ブロック４をその前後を反転させて、下ブロック７に被せ、上下ブロック４，７の側板１１，１２、２５，２６の中央にある挿入穴４５，４６を軸方向で合せて固定ボルトを挿入する。これと前後して、上下ブロックの両端を固定して天板と底板とを平行に保持する。この際、上ブロック４の連結ボルト貫通穴２０と下ブロックの前端側の切欠凹部４１とを軸方向で合わせボルトを挿入する。また、上ブロック４の後端側に位置する切欠凹部４０と下ブロック７の後端に位置する連結ボルト貫通穴３５とを軸方向で合わせ、ボルトを挿入する。そうすると、上下ブロック４，７の前後の高さが同じなので、天板３と底板６とは互いに平行な状態で保持される。
【００４６】
これにより、据付け台１の天板３が、段差地の高面側とほぼ面一状態となるので、この天板３に脚固定部材２を取り付け、設置物の据付け脚１９を取り付けることにより、設置物がほぼ水平状態で固定されることになる。据付け台１の天板３と段差地の高面側とのわずかな段差は、底板６の調整ボルト３２の下方突出量を調整することにより対応することができる。また、アジャスタ付きの据付け脚１９の長さを調整することにより、設置物を水平状態に据付けることができる。
【００４７】
このように、本実施形態の据付け台１は、傾斜地用としても、また段差地用としても同じ部品を利用して対応することができるので、従来のように水平用ステ−などの別部品を必要とせず、部品点数を低減することができる。
【００４８】
また、前後傾斜角度調節手段８と左右傾斜角度調節手段９とを設けているので、前後左右の傾斜に同時に対応することができる。この場合においても、前後傾斜角度調節手段８は、上下のブロック４，７の側板端縁に形成された切欠凹部４０，４１に調節ボルト４２を係合して傾斜調節するだけであるので、その傾斜調節作業も簡単に行うことができる。また、左右傾斜角度調節手段９は、下ブロック７の底板６から下方に調整ボルト３２を突出させるだけの簡単な構造で対応することができる。
【００４９】
なお、本発明は、上記実施形態に限定されるものではなく、本発明の範囲内で修正・変更を加えることができるのは勿論である。例えば、上記実施形態でネジ穴１４、３１、３６はネジが刻設されたものに限定されず、単なる挿入穴であってもよく、また、平行保持手段１０の挿入穴４６、４７は、ネジ穴であってもよい。  
【図面の簡単な説明】
【００５０】
【図１】本発明に係る据付け台の実施形態を示す分解斜視図
【図２】同じく上下のブロックの開放状態を示す側面図
【図３】据付け台を前面側から見た斜視図
【図４】下ブロックを上方から見た斜視図
【図５】（ａ）は下ブロックの底板に左右方向調整ボルトおよびアンカーを打ち込んだ状態を示す斜視図、（ｂ）は調整ボルトを底板の脚部材として機能させた場合の側面断面図、（ｃ）は設置面が平坦でない場合に対応させた状態を示す正面断面図
【図６】角度調節ボルトによる角度調節作業工程を示す図
【図７】据付け台の設置状態を示す側面図
【図８】脚固定部材の設置状態を示す据付け台の斜視図
【図９】脚固定部材に設置物の据付け脚を締結した状態を示す斜視図
【図１０】据付け台の段差部設置姿勢を示す斜視図
【図１１】同じくその組立て工程図
【符号の説明】
【００５１】
１    据付け台
２    脚固定部材
３    天板
４    上ブロック
５    アンカーボルト
６    底板
７    下ブロック
８    前後傾斜角度調節手段
９    左右傾斜角度調節手段
１０    平行保持手段
【図１】
2005208812.tif 000003
【図２】
2005208812.tif 000004
【図３】
2005208812.tif 000005
【図４】
2005208812.tif 000006
【図５】
2005208812.tif 000007
【図６】
2005208812.tif 000008
【図７】
2005208812.tif 000009
【図８】
2005208812.tif 000010
【図９】
2005208812.tif 000011
【図１０】
2005208812.tif 000012
【図１１】
2005208812.tif 000013